(57)【特許請求の範囲】
【請求項１】
複数の号機の運転を制御するエレベータの群管理システムにおいて、
各階の乗場に設置され、利用者の行先階を登録するための表示機能付きの乗場行先階登録装置と、
利用者の属性を考慮して割当号機を決めるセキュリティモードを設定するモード設定手段と、
上記各号機の運行情報に基づいて上記乗場行先階登録装置によって登録された行先階とその登録階を含む乗場呼び情報を割り当てる号機を選出し、その号機を割当号機として上記登録階に応答させる割当制御手段と、
この割当制御手段によって割当号機が決定された後に、上記モード設定手段によって上記セキュリティモードが設定されているか否かを確認し、上記セキュリティモードが設定されていれば、上記乗場行先階登録装置に行先階を登録した利用者の属性を判断する利用者属性判断手段と、
この利用者属性判断手段によって上記乗場行先階登録装置に行先階を登録した利用者の属性が上記割当号機と同じ号機に既に行先階が登録済みの利用者の属性と異なると判断された場合に、上記乗場行先階登録装置に行先階を登録した利用者が乗車する号機を上記割当号機以外の号機に割当変更する割当変更手段と、
上記割当制御手段によって決定された割当号機あるいは上記割当変更手段によって割当変更された号機を当該利用者が乗車可能な号機として上記乗場行先階登録装置に一定時間表示する表示制御手段と
を具備したことを特徴とするエレベータの群管理システム。
【請求項２】
上記利用者の属性として、少なくとも特別利用者と一般利用者を含み、それぞれに登録可能な階床が決められていることを特徴とする請求項１記載のエレベータの群管理システム。
【請求項３】
上記モード設定手段は、
時間帯に応じて上記セキュリティモードを設定することを特徴とする請求項１記載のエレベータの群管理システム。
【請求項４】
利用者のＩＤ番号に対応付けて属性を管理するデータベースを備え、
上記利用者属性判断手段は、
上記乗場行先階登録装置によって行先階と共に登録されたＩＤ番号に基づいて上記データベースを参照することにより利用者の属性を判断することを特徴とする請求項１記載のエレベータの群管理システム。
【請求項５】
上記乗場行先階登録装置の近傍に設置され、予め利用者の属性が記録されたＩＤカードの情報を読み取るカード読取り装置を備え、
上記利用者属性判断手段は、
上記カード読取り装置によって読み取られた上記ＩＤカードの情報に基づいて利用者の属性を判断することを特徴とする請求項１記載のエレベータの群管理システム。
【請求項６】
上記各号機の停止階を表示する表示装置を備え、
上記表示制御手段は、
上記セキュリティモードが設定されている場合に上記表示装置に対する上記各号機の停止階を非表示にすることを特徴とする請求項１記載のエレベータの群管理システム。
【請求項７】
上記表示制御手段は、
上記各号機の停止階を非表示にした状態で、利用者により号機確認操作があったときに上記乗場行先登録装置に当該利用者が乗車可能な号機を再表示することを特徴とする請求項６記載のエレベータの群管理システム。
【発明の詳細な説明】
【技術分野】
【０００１】
本発明の実施形態は、乗場にて行先階を登録可能な乗場行先階登録装置を備えたエレベータの群管理システムに関する。
【背景技術】
【０００２】
通常、エレベータを利用する場合に、利用者が乗場に設置されたＵＰ方向（上方向）もしくはＤＮ方向（下方向）の釦を操作して乗場呼びを登録し、その登録階に応答した乗りかごに乗車後、行先階のかご呼びを登録するといった操作を行う。
【０００３】
これに対し、乗場にて行先階を登録可能な装置（これを乗場行先階登録装置と呼ぶ）を備えたエレベータでは、利用者が乗場にて事前に行先階を登録できるため、乗りかご内での登録操作は不要となる。
【０００４】
ここで、複数台のエレベータを有する群管理システムでは、利用者が乗場にて行先階を登録すると、各号機の中から最適な号機が割り当てられる。この場合、乗場行先階登録装置では事前に利用者の行先階が分かるので、同じ行先階あるいは行先階が近い利用者を同じ号機に乗車させるような割当制御がなされる。割当号機が決定されると、乗場行先階登録装置上にその号機の番号が表示される。利用者はその表示された号機の乗場前で待ち、到着後に乗車して行先階まで移動することができる。
【先行技術文献】
【特許文献】
【０００５】
【特許文献１】特開２０１０−１８４７７７号公報
【発明の概要】
【発明が解決しようとする課題】
【０００６】
乗場行先階登録方式では、同じ行先階あるいは行先階が近い利用者を同じ号機に割り当てることで、停止回数を減らして運行効率を上げている。このとき、参照する情報は利用者の行先階だけであり、利用者の属性（ＶＩＰ，一般，その他など）は考慮されていない。このため、例えば特別利用者と一般利用者が同じ号機に乗り合わせることもあり、その際に一般の利用者が特別階（ＶＩＰ階）まで一緒に行くことができてしまうため、セキュリティ上の問題が生じる。なお、常に特別利用者だけを同じ号機に優先的に割り当てる方法もあるが、特別利用者だけを運転する専用号機ができてしまい、運行効率が著しく低下する。
【０００７】
本発明が解決しようとする課題は、専用号機を用いずに属性の異なる利用者の乗り合わせを排除し、利用者のセキュリティ性を確保して運転することのできるエレベータの群管理システムを提供することである。
【課題を解決するための手段】
【０００８】
本実施形態に係るエレベータの群管理システムは、複数の号機の運転を制御するエレベータの群管理システムにおいて、各階の乗場に設置され、利用者の行先階を登録するための表示機能付きの乗場行先階登録装置と、利用者の属性を考慮して割当号機を決めるセキュリティモードを設定するモード設定手段と、上記各号機の運行情報に基づいて上記乗場行先階登録装置によって登録された行先階とその登録階を含む乗場呼び情報を割り当てる号機を選出し、その号機を割当号機として上記登録階に応答させる割当制御手段と、この割当制御手段によって割当号機が決定された後に、上記モード設定手段によって上記セキュリティモードが設定されているか否かを確認し、上記セキュリティモードが設定されていれば、上記乗場行先階登録装置に行先階を登録した利用者の属性を判断する利用者属性判断手段と、この利用者属性判断手段によって上記乗場行先階登録装置に行先階を登録した利用者の属性が上記割当号機と同じ号機に既に行先階が登録済みの利用者の属性と異なると判断された場合に、上記乗場行先階登録装置によって行先階を登録した利用者が乗車する号機を上記割当号機以外の号機に割当変更する割当変更手段と、上記割当制御手段によって決定された割当号機あるいは上記割当変更手段によって割当変更された号機を当該利用者が乗車可能な号機として上記乗場行先階登録装置に一定時間表示する表示制御手段とを具備する。
【図面の簡単な説明】
【０００９】
【図１】図１は第１の実施形態に係るエレベータの群管理システムの構成を示す図である。
【図２】図２は同実施形態における利用者の属性を説明するための図である。
【図３】図３は同実施形態における群管理制御装置の利用者属性判断部に設けられたデータベースの一例を示す図である。
【図４】図４は同実施形態における群管理制御装置の登録制御部に設けられた管理テーブルの一例を示す図である。
【図５】図５は同実施形態における各階の乗場に設けられた乗場行先階登録装置と表示装置の設置例を示す図である。
【図６】図６は同実施形態における乗場行先階登録装置の外観構成を示す図である。
【図７】図７は同実施形態におけるＡ号機の表示装置に表示される停止階の一例を示す図である。
【図８】図８は同実施形態におけるＢ号機の表示装置に表示される停止階の一例を示す図である。
【図９】図９は同実施形態におけるエレベータの群管理システムの処理動作を示すフローチャートである。
【図１０】図１０は第２の実施形態におけるエレベータの群管理システムの処理動作を部分的に示すフローチャートである。
【図１１】図１１は第３の実施形態に係るエレベータの群管理システムの構成を示す図である
【図１２】図１２は同実施形態におけるＩＤカードに記録された情報の一例を示す図である。
【発明を実施するための形態】
【００１０】
以下、図面を参照して実施形態を説明する。
【００１１】
（第１の実施形態）
図１は第１の実施形態に係るエレベータの群管理システムの構成を示す図である。なお、図１の例では、４台のエレベータが群管理された構成が示されているが、この構成に限定されるものではない。また、エレベータが複数台存在する場合には「号機」とも言う。
【００１２】
号機制御部１１ａ，１１ｂ，１１ｃ，１１ｄは、各号機の乗りかご１２ａ，１２ｂ，１２ｃ，１２ｄに対応して設けられており、図示せぬ巻上機の駆動制御やドアの開閉制御などを含む号機単体での制御を行う。乗りかご１２ａ，１２ｂ，１２ｃ，１２ｄは、図示せぬ巻上機の駆動により昇降路内を昇降動作する。
【００１３】
一方、各階の乗場には乗場行先階登録装置１３が設置されている。乗場行先階登録装置１３は、各階の乗場にて利用者が行先階を登録するための装置であり、行先階を登録するための操作部１４と、割当号機を表示するための表示部１５とを有する。本実施形態では、この乗場行先階登録装置１３によって行先階を登録する際に、操作部１４の操作により行先階と共に利用者を識別するためのＩＤ番号を登録するものとする。
【００１４】
また、各階の乗場には、各号機に対応した表示装置１６が設置されている。この表示装置１６は、例えば液晶ディスプレイからなり、各号機の停止階を表示する。
【００１５】
乗場行先階登録装置１３によって行先階とＩＤ番号の登録が行われると、その行先階と登録階（利用者が登録操作を行った階）の２つの情報を１つの組とした乗場呼び情報にＩＤ番号が付されて群管理制御装置２０へ出力される。
【００１６】
群管理制御装置２０は、各号機（乗りかご１２ａ，１２ｂ，１２ｃ，１２ｄ）の運転を群管理制御する装置である。本実施形態において、この群管理制御装置２０には、モード設定部２１、利用者属性判断部２２、登録制御部２３、割当制御部２４、割当変更部２５、表示制御部２６が備えられている。これらは、マイクロプロセッサ上のソフトウェアにて実行される処理部であり、図１のように各部間で情報の授受が可能となっている。
【００１７】
なお、ここでは便宜上、モード設定部２１、利用者属性判断部２２、登録制御部２３、割当制御部２４、割当変更部２５、表示制御部２６のすべてを群管理制御装置２０に配置して記述したが、必ずしも同一装置に配置する必要はなく、別々の装置に配置するものであっても良い。
【００１８】
モード設定部２１は、利用者の属性を考慮して割当号機を決めるセキュリティモードを設定する。利用者属性判断部２２は、利用者のＩＤ番号に対応付けて属性を管理するデータベース２２ａを有し、セキュリティモードが設定されている場合に、データベース２２ａを参照して割当号機に乗車する利用者の属性を判断する。ここで言う「利用者の属性」は、登録可能な階床によって定義される。
【００１９】
図２を参照して利用者の属性について説明する。  
いま、１〜１５Ｆの階床を有する建物を想定する。１〜５Ｆはオフィス階、６〜１０Ｆは一般階、１１〜１５Ｆは特別階であるとする。
【００２０】
ここで、利用者の属性として、Ｐａ＝特別利用者（ＶＩＰ），Ｐｂ＝一般利用者，Ｐｃ＝その他の利用者に分類される。通常は、利用者の属性に関係なく各階床を行先階として自由に登録することができる。一方、セキュリティモードが設定された場合には、利用者の属性によって登録可能な階床が制限される。
【００２１】
すなわち、特別利用者Ｐａは、１〜１５Ｆの全階床を行先階として登録可能である。これに対し、一般利用者Ｐｂは、１１〜１５Ｆの特別階を除く、１〜１０Ｆを行先階として登録可能である。また、その他の利用者Ｐｃは、１１〜１５Ｆの特別階と６〜１０Ｆの一般階を除く、１〜５Ｆだけが行先階として登録可能である。
【００２２】
図３に示すように、データベース２２ａには、このような利用者の属性がＩＤ番号に対応付けて管理されている。図３の例では、例えばＩＤ番号「００１」の利用者は特別利用者Ｐａとして登録されており、セキュリティモード時には１〜１５Ｆの全階床を行先階として登録可能であることが示されている。また、ＩＤ番号「００２」の利用者は一般利用者Ｐｂとして登録されており、セキュリティモード時には１〜１０Ｆを行先階として登録可能であることが示されている。ＩＤ番号「００３」の利用者はその他の利用者Ｐｃとして登録されており、セキュリティモード時には１〜５Ｆを行先階として登録可能であることが示されている。
【００２３】
また、登録制御部２３は、図４に示すような管理テーブル２３ａを有し、ＩＤ番号と共に乗場呼び情報と割当号機を管理テーブル２３ａに記憶する。上述したように、乗場呼び情報は、行先階と登録階の２つの情報を含む。また、割当号機とは、割当制御部２４によって乗場呼び情報が割り当てられた号機を示す。なお、行先階は、エレベータの運行管理上では「目的階」と言う。
【００２４】
図４の例では、ＩＤ：００１に対し、登録階：１Ｆ、目的階：５Ｆ、割当号機：Ｂ号機が管理テーブル２３ａに登録されている。これは、ＩＤ番号「００１」の利用者が１Ｆの乗場行先階登録装置１３を操作して５Ｆを行先階として登録し、そのときにＢ号機が割り当てられたことを意味している。
【００２５】
割当制御部２４は、各号機の運行情報に基づいて乗場呼び情報を割り当てる号機を選出し、その号機を割当号機として登録階に応答させる。なお、乗場呼びに対するエレベータの割当て方法については、一般的に知られている方法を用いるものとする。一般的には、例えば各号機の乗りかごの位置や方向などの情報に基づいて評価値を求め、最も評価が高い評価値を有する号機を最適号機として割り当てる方法などが用いられる。
【００２６】
割当変更部２５は、利用者属性判断部２２によって異なる属性を有する利用者の乗車が確認された場合に、その利用者が乗車する号機を他の号機に割当変更する。
【００２７】
表示制御部２６は、割当制御部２４によって決定された割当号機あるいは割当変更部２５によって割当変更された号機を当該利用者が乗車可能な号機として乗場行先階登録装置１３の表示部１５に一定時間表示する。
【００２８】
図５は各階の乗場に設けられた乗場行先階登録装置１３と表示装置１６の設置例を示す図である。図中の１７は各号機の乗場、１８ａ〜１８ｄは各号機の乗場ドアを示している。
【００２９】
この例では、Ａ号機の乗場ドア１８ａとＢ号機の乗場ドア１８ｂとの間に乗場行先階登録装置１３ａ、Ｃ号機の乗場ドア１８ｃとＤ号機の乗場ドア１８ｄとの間に乗場行先階登録装置１３ｂが設置されている。また、各号機の乗場ドア１８ａ〜１８ｄの上に表示装置１６ａ〜１６ｄが設置されている。
【００３０】
乗場行先階登録装置１３ａ，１３ｂは各号機に共通であり、乗場１７に来た利用者はそのどちらかを操作して行先階を登録する。表示装置１６ａはＡ号機用、表示装置１６ｂはＢ号機用、表示装置１６ｃはＣ号機用、表示装置１６ｄはＤ号機用である。表示装置１６ａはＡ号機の停止階を表示する。同様に、表示装置１６ｂはＢ号機の停止階、表示装置１６ｃはＣ号機の停止階を、表示装置１６ｄはＤ号機の停止階をそれぞれ表示する。
【００３１】
図６は乗場行先階登録装置１３の外観構成を示す図である。
【００３２】
乗場行先階登録装置１３には、操作部１４と表示部１５が設けられている。図６の例では、操作部１４は複数のボタンキーからなり、利用者はこれらのボタンキーを押下操作することで行先階とＩＤ番号を登録する。表示部１５は、操作部１４の上部に配置され、行先階を登録した利用者が乗車可能な号機（割当号機）の番号を一定時間表示する。図６の例では、Ａ号機が表示されている。
【００３３】
図７はＡ号機の表示装置１６ａに表示される停止階の一例を示す図である。
【００３４】
表示装置１６ａには、その表示装置１６ａに対応したＡ号機の停止階が表示される。図７の例では、停止階として「１０Ｆ」，「１１Ｆ」，「１５Ｆ」が表示されている。この停止階は、Ａ号機に割り当てられた利用者の行先階に相当する。
【００３５】
ここで、セキュリティモードが設定されると、属性が異なる利用者の行先階は別の号機に割当変更される。例えば、「１０Ｆ」を登録した利用者の属性が一般利用者Ｐｂ、「１１Ｆ」を登録した利用者と「１５Ｆ」を登録した利用者の属性が特別利用者Ｐａだとすると、「１０Ｆ」が他の号機に割当変更されることになる。
【００３６】
図８はＢ号機の表示装置１６ｂに表示される停止階の一例を示す図である。
【００３７】
セキュリティモード時には属性が異なる利用者の行先階は別の号機に割当変更される。図８の例では、「１０Ｆ」がＢ号機に割当変更され、Ｂ号機の表示装置１６ｂに停止階として表示された状態を示している。
【００３８】
次に、第１の実施形態の動作を説明する。
【００３９】
図９は第１の実施形態におけるエレベータの群管理システムの処理動作を示すフローチャートである。なお、このフローチャートで示される処理は、コンピュータである群管理制御装置２０が所定のプログラムを読み込むことにより実行される。
【００４０】
いま、利用者が任意の階の乗場行先階登録装置１３の操作部１４を操作して行先階を登録したとする。このとき、利用者を識別するためのＩＤ番号も操作部１４の操作により登録するものとする。
【００４１】
乗場行先階登録装置１３によって行先階とＩＤ番号を登録すると、その行先階と登録階を含んだ乗場呼び情報がＩＤ番号と共に群管理制御装置２０の登録制御部２３に与えられ、図４に示した管理テーブル２３ａに格納される（ステップＳ１１）。
【００４２】
割当制御部２４は、管理テーブル２３ａを参照して、新たに発生した乗場呼び情報を各号機の中の最適な号機に割り当てる（ステップＳ１２）。詳しくは、号機制御部１１ａ，１１ｂ，１１ｃ，１１ｄから各号機の運行情報（かご位置、運転方向、ドア開閉状態など）を取得する。そして、これらの情報を所定の評価関数式に代入して各号機の評価値を求め、最も評価が高い評価値を有する号機を選出して乗場呼び情報を割り当てる。この場合、運行効率を上げるため、同じ行先階あるいは行先階が近い利用者の乗場呼び情報を同じ号機に割り当てる。乗場呼び情報が割り当てられた号機を割当号機と呼ぶ。
【００４３】
ここで、割当制御部２４は、セキュリティモードが設定されているか否かを判断する（ステップＳ１３）。このセキュリティモードは、時間帯に応じて自動的に切り替えられる。例えば日中のエレベータ利用頻度の高い時間帯であれば、運行効率を優先するため、セキュリティモードはＯＦＦになっている。
【００４４】
セキュリティモードがＯＦＦであれば（ステップＳ１３のＮｏ）、上記ステップＳ１２で決定された割当号機がそのまま利用者の乗車号機として確定され、その号機の番号が表示制御部２６を通じて乗場行先階登録装置１３の表示部１５に表示される（ステップＳ１４）。また、その割当号機に対応した表示装置１６に利用者の行先階が当該号機の停止階として表示される（ステップＳ１５）。
【００４５】
一方、夜間などのエレベータ利用頻度の低い時間帯では、セキュリティを優先するべく、セキュリティモードがＯＮに切り替えられる。ここで、セキュリティモードがＯＮの状態で利用者の行先階が登録された場合には、その利用者の属性に応じて割当号機が決定される。つまり、同じ属性の利用者が同じ号機に割り当てられることになる。したがって、異なる属性の利用者が同じ号機に乗り合わせることはない。ところが、割当号機が決定された直後にセキュリティモードがＯＮに切り替えられた場合には（ステップＳ１３のＹｅｓ）、異なる属性の利用者が同じ号機に乗り合わせる可能性がある。
【００４６】
そこで、利用者属性判断部２２によって、上記ステップＳ１２で決定された割当号機に乗車する利用者の属性をチェックする（ステップＳ１６）。詳しくは、割当号機に乗車する利用者のＩＤ番号に基づいてデータベース２２ａを検索し、その利用者の属性がＰａ，Ｐｂ，Ｐｃのいずれかであるかを判断する。
【００４７】
利用者の属性が同じであれば、割当号機に異なる属性の利用者の乗り合わせなしと判断され（ステップＳ１７のＮｏ）、表示制御部２６により、現在の割当号機の番号が乗場行先階登録装置１３の表示部１５に表示される（ステップＳ２０）。なお、他の利用者がいない場合も同様であり、乗り合わせなしと判断され、現在の割当号機の番号が乗場行先階登録装置１３の表示部１５に表示されることになる。
【００４８】
一方、利用者の属性が違う場合には、割当号機に異なる属性の利用者の乗り合わせありと判断される（ステップＳ１７のＹｅｓ）。このような場合、割当変更部２５によって、同じ属性以外の利用者の号機が他の号機に割当変更される（ステップＳ１８）。
【００４９】
図７の例で言うと、いま、一般利用者Ｐｂが「１０Ｆ」を登録し、Ａ号機に割り当てられたとする。そのときにＡ号機に「１１Ｆ」と「１５Ｆ」が割り当てられており、その利用者たちの属性が特別利用者Ｐａだとすると、「１０Ｆ」が他の号機に割当変更されることになる。なお、変更先は、その時点で各号機の中で最適な号機である。
【００５０】
割当変更があると、管理テーブル２３ａの中の当該利用者の割当号機が別の号機に更新され（ステップＳ１９）、その号機の番号が乗場行先階登録装置１３の表示部１５に表示される（ステップＳ２０）。例えばＡ号機からＢ号機に変更された場合には、図６に示した乗場行先階登録装置１３の表示部１５には「Ｂ号機」と表示されることになる。
【００５１】
また、割当変更後の号機に対応した表示装置１６に利用者の行先階が当該号機の停止階として表示される（ステップＳ２１）。図８が割当変更後の表示例であり、Ｂ号機の表示装置１６ｂに「１０Ｆ」が停止階として加えられている。
【００５２】
このように、運行効率を優先とした通常の運転モードから利用者をセキュリティを優先としたセキュリティモードに切り替わった際に、属性の異なる利用者が乗り合わせていた場合には他の号機に割当変更される。したがって、特別利用者Ｐａだけを乗せる専用号機を用意しなくとも、一般利用者Ｐｂやその他の利用者Ｐｃが特別利用者Ｐａと同じ号機に乗り合わることを排除することができ、利用者のセキュリティ性を確保して運転することができる。
【００５３】
なお、上記第１の実施形態では、時間帯に応じてセキュリティモードを自動的に切り替える構成としたが、ビル管理者やエレベータの保守員などが任意のタイミングで群管理制御装置２０に設置された図示せぬモード切替えスイッチなどを操作して手動的に切り替えられるような構成にしても良い。
【００５４】
（第２の実施形態）
次に、第２の実施形態について説明する。
【００５５】
上記第１の実施形態では、セキュリティモードが設定されている場合でも、各号機の乗場に設置された表示装置１６に停止階を表示する構成とした。しかしながら、表示装置１６に停止階を表示すると、各号機がどこに行くのか分かってしまう問題がある。そこで、第２の実施形態では、各号機の停止階を非表示としてセキュリティ性を高める構成とする。
【００５６】
なお、基本的な装置構成は上記第１の実施形態における図１と同様であるため、ここでは停止階の表示制御に関係する処理について説明する。
【００５７】
図１０は第２の実施形態におけるエレベータの群管理システムの処理動作を部分的に示すフローチャートである。
【００５８】
上述したように、セキュリティモードが設定されている場合、同じ属性の利用者を同じ号機に乗せるように割当号機が決定され、その割当号機の番号が乗場行先階登録装置１３の表示部１５に一定時間表示される（ステップＳ２０）。
【００５９】
ここで、群管理制御装置２０に設けられた表示制御部２６は、各号機の表示装置１６に対する停止階の表示を禁止して、各号機の停止階が利用者から見えない状態とする（ステップＳ２２）。これにより、表示装置１６に表示された各号機の停止階を見て自分の属性と違う階へ行くことを防ぐことができる。ただし、自分が本来乗るべき号車も分からなくなる問題がある。
【００６０】
そこで、号機の確認操作として、乗場行先階登録装置１３に行先階とＩＤ番号を再登録すると（ステップＳ２３のＹｅｓ）、表示制御部２６は、当該利用者に対する割当号機の番号を乗場行先階登録装置１３の表示部１５に再表示する（ステップＳ２４）。これにより、各号機の停止階が非表示になっていても、自分が本来乗るべき号車を確認でき、その号機の乗場前で待機することができるようになる。
【００６１】
このように、セキュリティモードが設定されている場合に各号機の停止階を非表示とすることで、利用者が属性の違う階へ行くことを防止してセキュリティ性を高めることができる。さらに、号機の確認操作により割当号機を再表示する機能を設けておくことで、利用者が乗るべき号機を忘れてしまっても対応することができる。
【００６２】
（第３の実施形態）
次に、第３の実施形態について説明する。
【００６３】
上記第１の実施形態では、乗場行先階登録装置１３に利用者の行先階と共にＩＤ番号を登録し、そのＩＤ番号から利用者の属性を判断する構成とした。これに対し、第３の実施形態では、利用者が所持するＩＤカードに利用者の属性を記録しておき、そのＩＤカードの情報を乗場で読み取って群管理制御装置２０に転送する構成としている。
【００６４】
図１１は第３の実施形態に係るエレベータの群管理システムの構成を示す図である。なお、上記第１の実施形態における図１と同じ部分には同一符号を付して、その説明は省略するものとする。
【００６５】
第３の実施形態において、各階の乗場には、カード読取り装置３１が乗場行先階登録装置１３の近傍に設置されている。このカード読取り装置３１は、群管理制御装置２０に接続されており、ＩＤカード３２の情報を非接触で読み取って群管理制御装置２０に転送する。なお、非接触方式として、電磁誘導方式などがあるが、本発明では特にその方式に限定されるものではない。
【００６６】
図１２はＩＤカード３２に記録された情報の一例を示す図である。
【００６７】
ＩＤカード３２は、建物内のエレベータを利用する利用者が所持する。このＩＤカード３２には、利用者を識別するためのＩＤ番号とその利用者の属性の情報が記録されている。利用者の属性とは、登録可能な行先階によって定義され、Ｐａ（特別利用者），Ｐｂ（一般利用者），Ｐｃ（その他の利用者）で分類される。
【００６８】
このような構成において、利用者が乗場行先階登録装置１３の操作部１４を操作して行先階を登録すると、乗場行先階登録装置１３に近くに設置されたカード読取り装置３１によって利用者が所持するＩＤカード３２の情報が読み取られ、行先階を含む乗場呼び情報と共に群管理制御装置２０に転送される。
【００６９】
この群管理制御装置２０では、行先階を含む乗場呼び情報に基づいて割当号機を決定し、セキュリティモードが設定されている場合には利用者の属性をチェックする。その際、群管理制御装置２０に設けられた利用者属性判断部２２は、ＩＤカード３２の情報に基づいて利用者の属性がＰａ，Ｐｂ，Ｐｃのいずれかであるかを判断する。以後は上記第１の実施形態と同様であり、利用者の属性に応じて割当変更を行い、異なる属性の利用者の乗り合わせを排除する（図９参照）。
【００７０】
このように、利用者が所持するＩＤカード３２に属性情報を記録しておき、その属性情報を乗場に設置したカード読取り装置３１で読み取って群管理制御装置２０に転送する構成としても、上記第１の実施形態と同様に、専用号機を用いずにセキュリティモード時に異なる属性の利用者の乗り合わせを排除し、利用者のセキュリティ性を確保して運転することができる。
【００７１】
なお、この第３の実施形態の構成でも上記第２の実施形態と組み合わせて、セキュリティモーが設定されている場合に各号機の停止階を非表示にしても良い。
【００７２】
以上述べた少なくとも１つの実施形態によれば、専用号機を用いずに属性の異なる利用者の乗り合わせを排除することができ、セキュリティ性を確保して運転できるエレベータの群管理システムを提供することができる。
【００７３】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１１ａ，１１ｂ，１１ｃ，１１ｄ…号機制御部、１２ａ，１２ｂ，１２ｃ，１２ｄ…乗りかご、１３…乗場行先階登録装置、１４…操作部、１５…表示部、１６，１６ａ〜１６ｄ…表示装置、１７…乗場、１８ａ〜１８ｄ…乗場ドア、２０…群管理制御装置、２１…モード設定部、２２…利用者属性判断部、２２ａ…データベース、２３…登録制御部、２３ａ…管理テーブル、２４…割当制御部、２５…割当変更部、２６…表示制御部、３１…カード読取り装置、３２…ＩＤカード。
【図１】
0005839916.tif 000002
【図２】
0005839916.tif 000003
【図３】
0005839916.tif 000004
【図４】
0005839916.tif 000005
【図５】
0005839916.tif 000006
【図６】
0005839916.tif 000007
【図７】
0005839916.tif 000008
【図８】
0005839916.tif 000009
【図９】
0005839916.tif 000010
【図１０】
0005839916.tif 000011
【図１１】
0005839916.tif 000012
【図１２】
0005839916.tif 000013